(57)【要約】【課題】外輪回転の水ポンプ用軸受内に冷却水等が浸入するのを防止することができる水ポンプ用軸受シール装置を提供する。【解決手段】水ポンプ用軸受シール装置１０は、回転輪である外輪２０２ａの軸方向端部に取り付けられるシール部材１２を備え、外輪２０２ａと固定輪である内輪２０２ｂとの間をシールし、シール部材１２は、主リップ１２ａと副リップ１２ｂ，１２ｃとを有し、主リップ１２ａを内輪２０２ｂに接触させて第１シール部１５ａを形成すると共に、副リップ１２ｂ，１２ｃとシール部材１２の軸方向外側位置で内輪２０２ｂに嵌合されるスリンガ１４との間に接触式の第２シール部１５ｂ，１５ｃを形成する。【選択図】図１
2007198436.tif 000002
【特許請求の範囲】
【請求項１】
回転輪である外輪の軸方向端部に取り付けられるシール部材を備え、前記外輪と固定輪である内輪との間をシールする水ポンプ用軸受シール装置であって、
前記シール部材は、主リップと副リップとを有し、
前記主リップを前記内輪に接触させて第１シール部を形成すると共に、前記副リップと前記シール部材の軸方向外側位置で前記内輪に嵌合されるスリンガとの間に接触又は非接触の第２シール部を形成することを特徴とする水ポンプ用軸受シール装置。
【請求項２】
前記スリンガに前記外輪に摺接するシールリップを設けることを特徴とする請求項１記載の水ポンプ用軸受シール装置。
【発明の詳細な説明】
【技術分野】
【０００１】
本発明は、例えば、自動車等のエンジンに使用される外輪回転の水ポンプ装置の軸受に使用される水ポンプ用軸受シール装置に関する。
【背景技術】
【０００２】
近年、環境問題が重視される中、自動車においても燃費向上が開発課題となることが多く、各装置／部品の軽量化や性能向上、コスト低減が急務となっている。その中でも自動車に使用される水ポンプ装置の軸受は、専用設計されたものが殆どで、大きく分けて内輪回転（軸回転）と外輪回転との２種類に分けられる。
【０００３】
前者の内輪回転（軸回転）の水ポンプ装置の軸受としては、転動体がローラとボールとで構成されるタイプと両列ともボールで構成されるタイプとの２つのタイプがあり、例えば、図８に示すような水ポンプ装置１００が知られている。この水ポンプ装置１００は、ボディ（支持部）１０１にアルミダイカストを用い、フロント列がローラ、リア列がボール、若しくは両列ともボールのシャフト一体型軸受１０２を装着している。そして、プーリ１０３と一体回転するシャフト１０４の回転によりベーン１０５を回し、冷却水を循環させる。また、ボディ１０１と軸受１０２のシャフト１０４との間にメカニカルシール１０６を備える。
【０００４】
また、水ポンプ装置１００には、軸振れ等によりメカニカルシール１０６から漏れ出した冷却水の水蒸気や水滴が軸受内部に浸入するのを防止するために、軸受１０２のベーン１０５側の端部に、例えば、図９に示すようなシール装置１０７が装着されている。このシール装置１０７は、外輪１０２ａの端部内周面に取り付けられるシール部材１０８と、シャフト１０４の外周面に嵌合されるスリンガ１０９と、を備える。シール部材１０８は、主リップ１０８ａと２つの副リップ１０８ｂ，１０８ｃとを有しており、主リップ１０８ａをシャフト１０４の外周面に接触させると共に、２つの副リップ１０８ｂ，副リップ１０８ｃをスリンガ１０９に接触させている（例えば、特許文献１参照）。
【０００５】
一方、後者の外輪回転の水ポンプ装置としては、例えば、図１０に示すような水ポンプ装置２００が知られている。この水ポンプ装置２００は、単列又は複列の転がり軸受２０２の外輪２０２ａにプーリ２０３を外嵌し、軸受内輪２０２ｂにボディ（支持部）２０１を内嵌したものであり、上記水ポンプ装置１００と同様に、プーリ２０３と一体回転するシャフト２０４の回転によりベーン２０５を回し、冷却水を循環させる。また、ボディ２０１とシャフト２０４との間にメカニカルシール２０６を備える。
【０００６】
また、水ポンプ装置２００には、軸振れ等によりメカニカルシール２０６から漏れ出した冷却水の水蒸気や水滴が軸受内部に浸入するのを防止するために、軸受２０２のベーン２０５から離間する側の端部に、例えば、図１１に示すようなシール装置２０７が装着されている。このシール装置２０７は、外輪２０２ａの内周面に取り付けられるシール部材２０８を備え、このシール部材２０８の内周縁部に形成されるリップ２０８ａを内輪２０２ｂの外周面に接触させている。さらに、図１０に示すように、冷却水等を外部に排出するために、ボディ２０１のメカニカルシール２０６近傍にドレン穴２１０が設けられる（例えば、特許文献２参照）。
【０００７】
【特許文献１】特開平９−２１３９６号公報（第２−３頁、第１−２図）
【特許文献２】特開昭５０−７４８０１号公報（第２−３頁、第２図）
【発明の開示】
【発明が解決しようとする課題】
【０００８】
しかしながら、上記水ポンプ装置２００では、メカニカルシール２０６から漏れ出した冷却水の水蒸気や水滴が排出されるドレン穴２１０の出口付近に軸受２０２が配置され、さらに、軸受２０２のドレン穴２１０側の端部にシール部材が備えられていないため、冷却水等が軸受２０２内に容易に浸入してしまっていた。また、冷却水等の堆積物等がシール装置２０７のリップ２０８ａに付着し、軸受２０２内に冷却水が浸入する場合があった。
【０００９】
また、上記水ポンプ装置２００のようなドレン穴２１０を設けない水ポンプ装置として、例えば、図１２に示すような水ポンプ装置３００が知られているが、この水ポンプ装置３００では、メカニカルシール２０６から漏れ出した水蒸気や水滴を外部に排出させる機構が存在しないため、冷却水等はボディ２０１の内部を通ってプーリ２０３の端面に設けられる穴３０１から排出されるか、ボディ２０１のプーリ２０３側の端部の内周面に嵌合又は一体成形されるリング部材３０２によってボディ２０１の内部に溜められる。しかし、いずれの場合も冷却水等が軸受２０２の端面に到達してしまう構造であるため、軸受２０２への冷却水等の浸入を防止することはできない。
【００１０】
本発明は、このような不都合を解消するためになされたものであり、その目的は、外輪回転の水ポンプ用軸受内に冷却水等が浸入するのを防止することができる水ポンプ用軸受シール装置を提供することにある。
【課題を解決するための手段】
【００１１】
本発明の上記目的は、下記の構成により達成される。
（１）  回転輪である外輪の軸方向端部に取り付けられるシール部材を備え、外輪と固定輪である内輪との間をシールする水ポンプ用軸受シール装置であって、シール部材は、主リップと副リップとを有し、主リップを内輪に接触させて第１シール部を形成すると共に、副リップとシール部材の軸方向外側位置で内輪に嵌合されるスリンガとの間に接触又は非接触の第２シール部を形成することを特徴とする水ポンプ用軸受シール装置。
（２）  スリンガに外輪に摺接するシールリップを設けることを特徴とする（１）に記載の水ポンプ用軸受シール装置。
【発明の効果】
【００１２】
本発明によれば、回転輪である外輪の軸方向端部に取り付けられるシール部材の主リップを固定輪である内輪に接触させて第１シール部を形成すると共に、シール部材の副リップとシール部材の軸方向外側位置で内輪に嵌合されるスリンガとの間に接触又は非接触の第２シール部を形成するため、外輪回転の水ポンプ用軸受内に軸振れ等によりメカニカルシールから漏れ出た冷却水等が浸入するのを防止することができる。
【発明を実施するための最良の形態】
【００１３】
以下、本発明に係る水ポンプ用軸受シール装置の各実施形態について、図面を参照して詳細に説明する。なお、各実施形態ともに、上記の水ポンプ装置２００に組み込まれる外輪回転の軸受２０２のシール装置に本発明を適用した場合を例に説明する。
【００１４】
（第１実施形態）
まず、図１を参照して、本発明に係る水ポンプ用軸受シール装置の第１実施形態について説明する。
図１は本発明に係る水ポンプ軸受シール装置の第１実施形態を説明するための要部拡大断面図である。
【００１５】
本実施形態の水ポンプ軸受シール装置１０は、図１に示すように、円環板状の芯金１１にゴム等のシール部材１２が一体的に形成されており、その外周縁部が回転輪である外輪２０２ａの内周面の軸方向端部に形成されるシール溝１３に嵌合されることにより外輪２０２ａに固定される。
【００１６】
シール部材１２は、主リップ１２ａ、第１副リップ１２ｂ、及び第２副リップ１２ｃと、を備える。主リップ１２ａは、内輪２０２ｂに接近する方向に軸方向内側に傾斜して延設される。第１副リップ１２ｂは、内輪２０２ｂに接近する方向に軸方向外側に傾斜して延設され、第２副リップ１２ｃは、第１副リップ１２ｂの径方向外方位置で軸方向外方に延設される。また、シール部材１２の材質としては、例えば、フッ素ゴム、ニトリルゴム、及び水素添加ニトリルゴム等を挙げることができる。
【００１７】
また、内輪２０２ｂの外周面のシール部材１２の軸方向外側位置には、円筒状のスリンガ１４が外嵌固定されており、このスリンガ１４は、断面略コの字状の円筒状部材であって、内輪２０２ｂの外周面に外嵌される内筒部１４ａと、この内筒部１４ａの軸方向外端部から径方向外方に延びる円環板１４ｂと、この円環板１４ｂの外周縁部から軸方向内方に延びる外筒部１４ｃと、を備える。
【００１８】
そして、本実施形態の水ポンプ軸受シール装置１０では、主リップ１２ａを内輪２０２ｂの外周面に接触させて接触式の第１シール部１５ａを形成すると共に、第１副リップ１２ｂを内筒部１４ａの外周面に接触させて接触式の第２シール部１５ｂを形成し、第２副リップ１２ｃを外筒部１４ｃの外周面に接触させて接触式の第２シール部１５ｃを形成する。
【００１９】
従って、本実施形態の水ポンプ軸受シール装置１０によれば、回転輪である外輪２０２ａの軸方向端部に取り付けられるシール部材１２の主リップ１２ａを固定輪である内輪２０２ｂに接触させて第１シール部１５ａを形成すると共に、シール部材１２の第１及び第２副リップ１２ｂ，１２ｃとシール部材１２の軸方向外側位置で内輪２０２ｂに嵌合されるスリンガ１４との間に接触式の第２シール部１５ｂ，１５ｃを形成するため、外輪回転の水ポンプ用軸受内に軸振れ等によりメカニカルシールから漏れ出た冷却水等が浸入するのを防止することができる。
【００２０】
（第２実施形態）
次に、図２を参照して、本発明に係る水ポンプ用軸受シール装置の第２実施形態について説明する。
図２は本発明に係る水ポンプ軸受シール装置の第２実施形態を説明するための要部拡大断面図である。
【００２１】
本実施形態の水ポンプ軸受シール装置２０は、図２に示すように、円環板状の芯金２１にゴム等のシール部材２２が一体的に形成されており、その外周縁部が回転輪である外輪２０２ａの内周面の軸方向端部に形成されるシール溝２３に嵌合されることにより外輪２０２ａに固定される。
【００２２】
シール部材２２は、主リップ２２ａ、第１副リップ２２ｂ、及び第２副リップ２２ｃと、を備える。主リップ２２ａは、内輪２０２ｂに接近する方向に軸方向内側に傾斜して延設される。第１副リップ２２ｂは、内輪２０２ｂに接近する方向に軸方向外側に傾斜して延設され、第２副リップ２２ｃは、第１副リップ２２ｂの径方向外方位置で軸方向外方に延設される。
【００２３】
また、内輪２０２ｂの外周面のシール部材２２の軸方向外側位置には、円筒状のスリンガ２４が外嵌固定されており、このスリンガ２４は、断面略コの字状の円筒状部材であって、内輪２０２ｂの外周面に外嵌される内筒部２４ａと、この内筒部２４ａの軸方向外端部から径方向外方に延びる円環板２４ｂと、この円環板２４ｂの外周縁部から軸方向内方に延びる外筒部２４ｃと、を備える。また、外筒部２４ｃは、径方向において、外輪２０２ａの内周面と略同一位置に配置される。
【００２４】
そして、本実施形態の水ポンプ軸受シール装置２０では、主リップ２２ａを内輪２０２ｂの外周面に接触させて接触式の第１シール部２５ａを形成すると共に、第１副リップ２２ｂを内筒部２４ａの外周面に接触させて接触式の第２シール部２５ｂを形成し、第２副リップ２２ｃを外筒部２４ｃの内周面に接触させて接触式の第２シール部２５ｃを形成する。
【００２５】
従って、本実施形態の水ポンプ軸受シール装置２０によれば、回転輪である外輪２０２ａの軸方向端部に取り付けられるシール部材２２の主リップ２２ａを固定輪である内輪２０２ｂに接触させて第１シール部２５ａを形成すると共に、シール部材２２の第１及び第２副リップ２２ｂ，２２ｃとシール部材２２の軸方向外側位置で内輪２０２ｂに嵌合されるスリンガ２４との間に接触式の第２シール部２５ｂ，２５ｃを形成するため、外輪回転の水ポンプ用軸受内に軸振れ等によりメカニカルシールから漏れ出た冷却水等が浸入するのを防止することができる。
【００２６】
（第３実施形態）
次に、図３を参照して、本発明に係る水ポンプ用軸受シール装置の第３実施形態について説明する。
図３は本発明に係る水ポンプ軸受シール装置の第３実施形態を説明するための要部拡大断面図である。
【００２７】
本実施形態の水ポンプ軸受シール装置３０は、図３に示すように、円環板状の芯金３１にゴム等のシール部材３２が一体的に形成されており、その外周縁部が回転輪である外輪２０２ａの内周面の軸方向端部に形成されるシール溝３３に嵌合されることにより外輪２０２ａに固定される。
【００２８】
シール部材３２は、主リップ３２ａ、第１副リップ３２ｂ、及び第２副リップ３２ｃと、を備える。主リップ３２ａは、内輪２０２ｂに接近する方向に軸方向内側に傾斜して延設される。第１副リップ３２ｂは、内輪２０２ｂに接近する方向に軸方向外側に傾斜して延設され、第２副リップ３２ｃは、第１副リップ３２ｂの径方向外方位置で内輪２０２ｂに近接する方向に軸方向外側に傾斜して延設される。
【００２９】
また、内輪２０２ｂの外周面のシール部材３２の軸方向外側位置には、円筒状のスリンガ３４が外嵌固定されており、このスリンガ３４は、断面略コの字状の円筒状部材であって、内輪２０２ｂの外周面に外嵌される内筒部３４ａと、この内筒部３４ａの軸方向外端部から径方向外方に延びる円環板３４ｂと、この円環板３４ｂの外周縁部から軸方向内方に延びる外筒部３４ｃと、を備える。
【００３０】
そして、本実施形態の水ポンプ軸受シール装置３０では、主リップ３２ａを内輪２０２ｂの外周面に接触させて接触式の第１シール部３５ａを形成すると共に、第１副リップ３２ｂを内筒部３４ａの外周面に接触させて接触式の第２シール部３５ｂを形成し、第２副リップ３２ｃを外筒部３４ｃの外周面に接触させて接触式の第２シール部３５ｃを形成する。
【００３１】
従って、本実施形態の水ポンプ軸受シール装置３０によれば、回転輪である外輪２０２ａの軸方向端部に取り付けられるシール部材３２の主リップ３２ａを固定輪である内輪２０２ｂに接触させて第１シール部３５ａを形成すると共に、シール部材３２の第１及び第２副リップ３２ｂ，３２ｃとシール部材３２の軸方向外側位置で内輪２０２ｂに嵌合されるスリンガ３４との間に接触式の第２シール部３５ｂ，３５ｃを形成するため、外輪回転の水ポンプ用軸受内に軸振れ等によりメカニカルシールから漏れ出た冷却水等が浸入するのを防止することができる。
【００３２】
（第４実施形態）
次に、図４を参照して、本発明に係る水ポンプ用軸受シール装置の第４実施形態について説明する。
図４は本発明に係る水ポンプ軸受シール装置の第４実施形態を説明するための要部拡大断面図である。
【００３３】
本実施形態の水ポンプ軸受シール装置４０は、図４に示すように、円環板状の芯金４１にゴム等のシール部材４２が一体的に形成されており、その外周縁部が回転輪である外輪２０２ａの内周面の軸方向端部に形成されるシール溝４３に嵌合されることにより外輪２０２ａに固定される。
【００３４】
シール部材４２は、主リップ４２ａ、第１副リップ４２ｂ、及び第２副リップ４２ｃと、を備える。主リップ４２ａは、内輪２０２ｂに接近する方向に軸方向内側に傾斜して延設される。第１副リップ４２ｂは、内輪２０２ｂに接近する方向に軸方向外側に傾斜して延設され、第２副リップ４２ｃは、第１副リップ４２ｂの径方向外方位置で外輪２０２ａに近接する方向に軸方向外側に傾斜して延設される。
【００３５】
また、内輪２０２ｂの外周面のシール部材４２の軸方向外側位置には、円筒状のスリンガ４４が外嵌固定されており、このスリンガ４４は、断面略コの字状の円筒状部材であって、内輪２０２ｂの外周面に外嵌される内筒部４４ａと、この内筒部４４ａの軸方向外端部から径方向外方に延びる円環板４４ｂと、この円環板４４ｂの外周縁部から軸方向内方に延びる外筒部４４ｃと、を備える。また、外筒部４４ｃは、径方向において、外輪２０２ａの内周面と略同一位置に配置される。
【００３６】
そして、本実施形態の水ポンプ軸受シール装置４０では、主リップ４２ａを内輪２０２ｂの外周面に接触させて接触式の第１シール部４５ａを形成すると共に、第１副リップ４２ｂを内筒部４４ａの外周面に接触させて接触式の第２シール部４５ｂを形成し、第２副リップ４２ｃを外筒部４４ｃの内周面に接触させて接触式の第２シール部４５ｃを形成する。
【００３７】
従って、本実施形態の水ポンプ軸受シール装置４０によれば、回転輪である外輪２０２ａの軸方向端部に取り付けられるシール部材４２の主リップ４２ａを固定輪である内輪２０２ｂに接触させて第１シール部４５ａを形成すると共に、シール部材４２の第１及び第２副リップ４２ｂ，４２ｃとシール部材４２の軸方向外側位置で内輪２０２ｂに嵌合されるスリンガ４４との間に接触式の第２シール部４５ｂ，４５ｃを形成するため、外輪回転の水ポンプ用軸受内に軸振れ等によりメカニカルシールから漏れ出た冷却水等が浸入するのを防止することができる。
【００３８】
（第５実施形態）
次に、図５及び図６を参照して、本発明に係る水ポンプ用軸受シール装置の第５実施形態について説明する。
図５は本発明に係る水ポンプ軸受シール装置の第５実施形態を説明するための要部拡大断面図、図６は本発明に係る水ポンプ軸受シール装置の第５実施形態の変形例を説明するための要部拡大断面図である。
【００３９】
本実施形態の水ポンプ軸受シール装置５０は、図５に示すように、円環板状の芯金５１にゴム等のシール部材５２が一体的に形成されており、その外周縁部が回転輪である外輪２０２ａの内周面の軸方向端部に形成されるシール溝５３に嵌合されることにより外輪２０２ａに固定される。
【００４０】
シール部材５２は、主リップ５２ａ、第１副リップ５２ｂ、及び第２副リップ５２ｃと、を備える。主リップ５２ａは、内輪２０２ｂに接近する方向に軸方向内側に傾斜して延設される。第１副リップ５２ｂは、内輪２０２ｂに接近する方向に軸方向外側に傾斜して延設され、第２副リップ５２ｃは、第１副リップ５２ｂの径方向外方位置で内輪２０２ｂに近接する方向に軸方向外側に傾斜して延設される。
【００４１】
また、内輪２０２ｂの外周面のシール部材５２の軸方向外側位置には、円筒状のスリンガ５４が外嵌固定されており、このスリンガ５４は、断面略Ｌ字状の円筒状部材であって、内輪２０２ｂの外周面に外嵌される内筒部５４ａと、この内筒部５４ａの軸方向外端部から径方向外方に延びる円環板５４ｂと、を備える。
【００４２】
そして、本実施形態の水ポンプ軸受シール装置５０では、主リップ５２ａを内輪２０２ｂの外周面に接触させて接触式の第１シール部５５ａを形成すると共に、第１副リップ５２ｂを内筒部５４ａの外周面に接触させて接触式の第２シール部５５ｂを形成し、第２副リップ５２ｃを円環板５４ｂの軸方向内面に接触させて接触式の第２シール部５５ｃを形成する。
【００４３】
従って、本実施形態の水ポンプ軸受シール装置５０によれば、回転輪である外輪２０２ａの軸方向端部に取り付けられるシール部材５２の主リップ５２ａを固定輪である内輪２０２ｂに接触させて第１シール部５５ａを形成すると共に、シール部材５２の第１及び第２副リップ５２ｂ，５２ｃとシール部材５２の軸方向外側位置で内輪２０２ｂに嵌合されるスリンガ５４との間に接触式の第２シール部５５ｂ，５５ｃを形成するため、外輪回転の水ポンプ用軸受内に軸振れ等によりメカニカルシールから漏れ出た冷却水等が浸入するのを防止することができる。
【００４４】
なお、本実施形態の変形例として、図６に示すように、スリンガ５４の代わりに、スリンガ５４´を内輪２０２ｂの外周面に外嵌固定してもよい。このスリンガ５４´は、断面略コの字状の円筒状部材であって、内輪２０２ｂの外周面に外嵌される内筒部５４ａ´と、この内筒部５４ａ´の軸方向外端部から径方向外方に延びる円環板５４ｂ´と、この円環板５４ｂ´の外周縁部から軸方向内方に延びる外筒部５４ｃ´と、を備える。この場合、第２シール部５５ｃが外筒部５４ｃ´により覆われるため、水ポンプ軸受シール装置５０のシール性能をより向上することができる。
【００４５】
（第６実施形態）
次に、図７を参照して、本発明に係る水ポンプ用軸受シール装置の第６実施形態について説明する。
図７は本発明に係る水ポンプ軸受シール装置の第６実施形態を説明するための要部拡大断面図である。
【００４６】
本実施形態の水ポンプ軸受シール装置６０は、図７に示すように、円環板状の芯金６１にゴム等のシール部材６２が一体的に形成されており、その外周縁部が回転輪である外輪２０２ａの内周面の軸方向端部に形成されるシール溝６３に嵌合されることにより外輪２０２ａに固定される。
【００４７】
シール部材６２は、主リップ６２ａ、第１副リップ６２ｂ、及び第２副リップ６２ｃと、を備える。主リップ６２ａは、内輪２０２ｂに接近する方向に軸方向内側に傾斜して延設される。第１副リップ６２ｂは、内輪２０２ｂに接近する方向に軸方向外側に傾斜して延設され、第２副リップ６２ｃは、第１副リップ６２ｂの径方向外方位置で内輪２０２ｂに近接する方向に軸方向外側に傾斜して延設される。
【００４８】
また、内輪２０２ｂの外周面のシール部材６２の軸方向外側位置には、円筒状のスリンガ６４が外嵌固定されており、このスリンガ６４は、内輪２０２ｂの外周面に外嵌される内筒部６４ａと、この内筒部６４ａの軸方向外端部から径方向外方に延びる円環板６４ｂと、この円環板６４ｂの外周縁部から外輪２０２ａの軸方向外端部に近接する方向に軸方向内側に傾斜して延びるテーパ筒部６４ｃと、を備える。また、テーパ筒部６４ｃの先端部には、シールリップ６６が一体的に形成される。
【００４９】
そして、本実施形態の水ポンプ軸受シール装置６０では、主リップ６２ａを内輪２０２ｂの外周面に接触させて接触式の第１シール部６５ａを形成すると共に、第１副リップ６２ｂを内筒部６４ａの外周面に接触させて接触式の第２シール部６５ｂを形成し、第２副リップ６２ｃを円環板６４ｂの軸方向内面に接触させて接触式の第２シール部６５ｃを形成する。さらに、テーパ筒部６４ｃの先端部のシールリップ６６を外輪２０２ａの軸方向外端部に接触させて接触式の第３シール部６５ｄを形成する。
【００５０】
従って、本実施形態の水ポンプ軸受シール装置６０によれば、回転輪である外輪２０２ａの軸方向端部に取り付けられるシール部材６２の主リップ６２ａを固定輪である内輪２０２ｂに接触させて第１シール部６５ａを形成すると共に、シール部材６２の第１及び第２副リップ６２ｂ，６２ｃとシール部材６２の軸方向外側位置で内輪２０２ｂに嵌合されるスリンガ６４との間に接触式の第２シール部６５ｂ，６５ｃを形成し、さらに、スリンガ６４のテーパ筒部６４ｃの先端部に設けられるシールリップ６６と外輪２０２ａの軸方向外端部との間に接触式の第３シール部６５ｄを形成するため、外輪回転の水ポンプ用軸受内に軸振れ等によりメカニカルシールから漏れ出た冷却水等が浸入するのを防止することができる。
【００５１】
なお、本発明は、上記各実施形態に限定されるものではなく、適宜、変形、改良等が可能である。
例えば、上記各実施形態では、水ポンプ装置に用いられる転がり軸受として複列の深溝玉軸受を例示したが、単列の転がり軸受でもよく、また、単列又は複列の軸受で接触角を有する転がり軸受であってもよい。
また、上記各実施形態では、第２シール部を接触式としているが、これに代えて、第２シール部を非接触式としてもよい。
なお、軸受の外輪に外嵌されるプーリ及び内輪に内嵌されるボディの材質については、特に限定されず、例えば、炭素鋼、樹脂、アルミニウム等を適宜に用いることができる。
【図面の簡単な説明】
【００５２】
【図１】本発明に係る水ポンプ軸受シール装置の第１実施形態を説明するための要部拡大断面図である。
【図２】本発明に係る水ポンプ軸受シール装置の第２実施形態を説明するための要部拡大断面図である。
【図３】本発明に係る水ポンプ軸受シール装置の第３実施形態を説明するための要部拡大断面図である。
【図４】本発明に係る水ポンプ軸受シール装置の第４実施形態を説明するための要部拡大断面図である。
【図５】本発明に係る水ポンプ軸受シール装置の第５実施形態を説明するための要部拡大断面図である。
【図６】本発明に係る水ポンプ軸受シール装置の第５実施形態の変形例を説明するための要部拡大断面図である。
【図７】本発明に係る水ポンプ軸受シール装置の第６実施形態を説明するための要部拡大断面図である。
【図８】内輪回転の軸受を用いた従来の水ポンプ装置の一例を示す断面図である。
【図９】図８に示した軸受のシール装置の一例を示す要部拡大断面図である。
【図１０】外輪回転の軸受を用いた従来の水ポンプ装置の一例を示す断面図である。
【図１１】図１０に示した軸受のシール装置の一例を示す要部拡大断面図である。
【図１２】外輪回転の軸受を用いた従来の水ポンプ装置の他の例を示す断面図である。
【符号の説明】
【００５３】
１０              水ポンプ用軸受シール装置
１１              芯金
１２              シール部材
１２ａ            主リップ
１２ｂ            第１副リップ（副リップ）
１２ｃ            第２副リップ（副リップ）
１３              シール溝
１４              スリンガ
１４ａ            内筒部
１４ｂ            円環板
１４ｃ            外筒部
１５ａ            第１シール部
１５ｂ，１５ｃ    第２シール部
６６              シールリップ
【図１】
2007198436.tif 000003
【図２】
2007198436.tif 000004
【図３】
2007198436.tif 000005
【図４】
2007198436.tif 000006
【図５】
2007198436.tif 000007
【図６】
2007198436.tif 000008
【図７】
2007198436.tif 000009
【図８】
2007198436.tif 000010
【図９】
2007198436.tif 000011
【図１０】
2007198436.tif 000012
【図１１】
2007198436.tif 000013
【図１２】
2007198436.tif 000014